(57)【特許請求の範囲】
【請求項１】
長手方向両端部に粘着層があり、使用状態では長手方向に沿って張力がかけられた状態で、容器の開口部を覆うように貼り付けられる包装用フィルムにおいて、
少なくとも１つ以上の突状角部を有し、星型、ハート型、三角形、円形および楕円形からなる群から選ばれたいずれかの形状の貫通穴を有し、前記貫通穴のすべての前記突状角部の中心線が、張力方向に対して直交する直交線に対して傾斜しており、
前記貫通穴は、フィルム本体の中央部近傍に形成される、包装用フィルム。
【請求項２】
前記貫通穴は、複数個形成される、請求項１に記載の包装用フィルム。
【発明の詳細な説明】
【技術分野】
【０００１】
この発明は、包装用フィルムに関し、特に、青果物等を収納した上面が開口した蓋のない容器の上面を覆う包装用フィルムに関する。
【背景技術】
【０００２】
一般に、ぶどうやイチゴ等の果物類や椎茸等のキノコ類は、上面が開口した蓋のない容器に入れられ、その容器の上面を透明な包装用フィルムで覆って出荷され、そのまま店頭に並べられることが多い。
【０００３】
具体的には、包装用フィルムは、上面が開口した蓋のない容器の上面に被せられ、包装用フィルムの両側縁部に形成された粘着材層を、容器の側壁外面に接着固定して使用される。この容器には蓋はなく、包装用フィルムが蓋代わりであるため、容器と包装用フィルムとは、接着剤層を介してより強く接着固定される。
【０００４】
例えば、特開２０１２−５６６０２号公報（特許文献１）には、人の手による引き裂き性に優れた青果物包装トレイのラップシートが開示されている。ラップシートの上方縁には、シートを開封するための引き裂き用の略Ｖ字条の切り込みが設けられている。
【０００５】
一方、実開平２−１１１６５５号公報（特許文献２）には、多数の破断用小孔が設けられ、タックラベルを引き剥がすことによって、破断孔を形成し得るお弁当の包装用フィルムが開示されている。破断用小孔の形状としては、ひし形やハート型など種々の形状のものを用いることが開示されている。
【先行技術文献】
【特許文献】
【０００６】
【特許文献１】特開２０１２−５６６０２号公報
【特許文献２】実開平２−１１１６５５号公報
【発明の概要】
【発明が解決しようとする課題】
【０００７】
上述のように、包装用フィルムは、接着剤層により容器とより強く接着固定されている。しかし、包装用フィルムを開封する際、その接着固定を無理やり剥がそうとすると、トレイが転倒したり、内容物が落下するおそれがある。一方、接着を弱くすると、流通過程で包装用フィルムが剥がれてしまうおそれがある。
【０００８】
本発明は、上記のような課題を解決するためになされたものであって、その目的は、人の手による引き裂き性に優れ、開封を容易に行うことができる包装用フィルムを提供することを目的とする。
【課題を解決するための手段】
【０００９】
この目的のため本発明による包装用フィルムは、長手方向両端部に粘着層があり、使用状態では長手方向に沿って張力がかけられた状態で、容器の開口部を覆うように貼り付けられる包装用フィルムにおいて、少なくとも１つ以上の突状角部を有する形状の貫通穴を有し、貫通穴のすべての突状角部の中心線が、張力方向に対して直交する直交線に対して傾斜している。
【００１０】
好ましくは、貫通穴は、星型で形成される。さらに、貫通穴は、フィルム本体の中央部近傍に複数個形成される。
【００１１】
長手方向両端部に粘着層があり、使用状態では長手方向に沿って張力がかけられた状態で、容器の開口部を覆うように貼り付けられる包装用フィルムにおいて、少なくとも１つ以上の線状の切込みを有し、線状の切込みの先端部を通る延長線が、張力方向に対して直交する直交線に対して傾斜している。
【００１２】
好ましくは、線状の切込みは、互いに交差するように配置されている第１の切込みおよび第２の切込みを有する。
【発明の効果】
【００１３】
本発明によれば、人の手による引き裂き性に優れ、開封を容易に行うことができる包装用フィルムを提供することができる。
【図面の簡単な説明】
【００１４】
【図１】本発明の実施形態における包装用フィルムを容器に被せた状態を示す斜視図である。
【図２】本発明の実施形態における包装用フィルムの平面図である。
【図３】本発明の実施形態における星型の貫通穴の配置図である。
【図４】図３と比較するための星型の貫通穴の配置図である。
【図５】本発明の実施形態における貫通穴の他の構成例を示す図である。
【図６】本発明の実施形態における貫通穴の他の構成例を示す図である。
【図７】本発明の実施形態における貫通穴の他の構成例を示す図である。
【図８】本発明の実施形態における貫通穴の他の構成例を示す図である。
【図９】本発明の他の実施形態における互いに交差する切込みの配置図である。
【図１０】図９と比較するための互いに交差する切込みの配置図である。
【図１１】本発明の他の実施形態における切込みの他の構成例を示す図である。
【図１２】本発明の他の実施形態における切込みの他の構成例を示す図である。
【発明を実施するための形態】
【００１５】
本発明の実施の形態について図面を参照しながら詳細に説明する。なお、図中同一または相当部分には同一符号を付してその説明は繰り返さない。
【００１６】
はじめに、図１および２を参照して、本実施の形態に係る包装用フィルムの概要について説明する。
【００１７】
包装用フィルム１は、上方が開口した蓋のない容器２の開口部２０を覆うものである。容器２に包装されるものは、例えば、ぶどうやイチゴ等の果物類やキノコ類である。
【００１８】
包装用フィルム１は、矩形形状の透明なフィルム本体１０と、長手方向両端部に設けられた粘着層１１ａ，１１ｂと、複数の通気孔１２と、星型の貫通穴１３Ａとを備える。
【００１９】
フィルム本体１０は、ポリエチレン（ＰＥ）やポリプロピレン（ＰＰ）等からなる公知の合成樹脂製のフィルムからなる。フィルム本体１０の表面には、例えば、容器２の内部に収納される果物等の品名、販売者名等が印刷される。
【００２０】
粘着層１１ａ，１１ｂは、フィルム本体１０の長手方向の両端部に帯状に形成される。粘着層１１ａ，１１ｂは、例えば、出荷時から消費者の手に渡るまで外れない程度の強い粘着力を有する。
【００２１】
通気孔１２は、容器２の開口部２０を覆う部分に、例えば、円形で４箇所設けられる。通気孔１２は、内容物である青果物等の呼吸による水分の付着を防ぐための空気穴である。
【００２２】
貫通穴１３Ａは、容器２の開口部２０を覆う部分で、通気孔１２の間に２箇所設けられる。貫通穴１３Ａは、例えば、人差し指の先端を挿入することができる大きさで、５つの突状角部３１を有する星型に形成される。貫通穴１３Ａは、フィルム本体１０を引き裂いて包装用フィルム１を開封する機能と、空気穴としての機能とを備える。この貫通穴１３Ａは、後述する切込み１４Ａであっても構わない。貫通穴１３Ａは、通気孔１２と整列した位置に設けられていなくてもよい。貫通穴１３Ａの配置の仕方については、後述する。
【００２３】
包装用フィルム１を容器２に貼り付けるには、具体的には、粘着層１１ａを容器２の左側面２１に貼り付け、これと逆方向に引っ張りながら粘着層１１ｂを容器２の右側面２２に貼り付ける。これにより、包装用フィルム１は、容器２に貼り付ける際において、長手方向（張力方向Ａ）に沿って、適度な張力がかけられた状態となる。ここで、図２の張力方向Ａは、使用状態において包装用フィルム１の長手方向に沿ってかけられた張力の方向であり、直交線Ｂは、張力方向Ａに直交する線である。
【００２４】
包装用フィルム１を開封するためには、例えば、適度な張力がかかった包装用フィルム１の貫通穴１３Ａに人差し指の先端を挿入し、外向きに引き裂き力を付与する。すると、フィルム本体１０は、５つの突状角部３１のうちのいずれかから抵抗なく一気に破断する。これにより、消費者は、何ら力を加えることなく、容易に包装用フィルム１を開封して、内容物である青果物等を取り出すことができる。
【００２５】
このようにすることで、包装用フィルム１を開封する際に、粘着層１１ａ，１１ｂを無理やり剥がそうとすることにより、容器２が転倒したり、内容物が損傷したり、落下するおそれがない。また、包装用フィルム１を開封するために、わざわざ鋏やカッターなどを用意する必要もないため、開封が容易である。
【００２６】
図３は、本発明の実施形態における星型の貫通穴の配置図であり、図４は、図３と比較するための配置図である。図３および図４を参照して、貫通穴１３Ａの適切な配置について説明する。
【００２７】
まず、図３を参照して、貫通穴１３Ａは、５つの突状角部３１を有する。突状角部３１の中心線３２は、突状角部３１を２分割した線である。貫通穴１３Ａは、すべての突状角部３１の中心線３２が、張力方向Ａに対して直交する直交線Ｂに対して傾斜している。これにより、包装用フィルム１を容器２に貼る際、張力方向Ａに沿って張力がかかっても、中心線３２が、直交線Ｂに対して傾斜していることにより、突状角部３１にかかる力が分散される。したがって、包装用フィルム１に張力方向Ａの力がかかる場合でも、包装用フィルム１は突状角部３１から裂けることがない。
【００２８】
これに対し、図４の貫通穴１３０は、５つの突状角部１３１を有する。そのうち一つの突状角部１３１ａの中心線１３２が、直交線Ｂに対して平行している。これにより、包装用フィルム１を容器２に貼る際に、張力方向Ａに沿って適度な張力がかかると、突状角部１３１ａに応力集中し、突状角部１３１ａからフィルム本体１０が裂ける危険性が高い。
【００２９】
したがって、図３に示すように、貫通穴１３Ａのすべての突状角部３１の中心線３２を、直交線Ｂに対して傾斜して配置することにより、包装用フィルム１が裂けるおそれがない。
【００３０】
次に、貫通穴の他の構成例について説明する。以下に実施の形態１との相違点のみ詳細に説明する。
【００３１】
図５は、貫通穴１３Ｂを模式的に示す図である。貫通穴１３Ｂは、ハート形状であり、１つの突状角部４１を有する。突状角部４１の中心線４２は、直交線Ｂに対して傾斜して配置されている。
【００３２】
図６は、貫通穴１３Ｃを模式的に示す図である。貫通穴１３Ｃは、三角形であり、３つの突状角部５１を有する。突状角部５１の中心線５２は、直交線Ｂに対して傾斜して配置されている。
【００３３】
図７は、貫通穴１３Ｄを模式的に示す図である。貫通穴１３Ｄは、全体的に円形で１つの突状角部６１を有する。突状角部６１の中心線６２は、直交線Ｂに対して傾斜して配置されている。
【００３４】
図８は、貫通穴１３Ｅを模式的に示す図である。貫通穴１３Ｅは、２つの突状角部７１を有する略楕円形である。突状角部７１の中心線７２は、直交線Ｂに対して傾斜して配置されている。
【００３５】
図９は、本発明の他の実施形態における互いに交差する切込みの配置図であり、図１０は、図９と比較するための配置図である。図９および図１０を参照して、切込み１４Ａの配置について説明する。
【００３６】
図９を参照して、線状の切込み１４Ａは、第１の切込み１４ａおよび第２の切込み１４ｂを有し、互いに直交して交差する。第１の切込み１４ａの先端部を通る延長線８１と、第２の切込み１４ｂの先端部を通る延長線８２とは、張力方向Ａに対して直交する直交線Ｂに対して傾斜している。これにより、包装用フィルム１を容器２に貼る際に、張力方向Ａに沿って適度な張力がかかっても、延長線８１，８２が、張力方向Ａに対して直交する直交線Ｂに対して傾斜しているため、第１の切込み１４ａおよび第２の切込み１４ｂの先端部での力が分散される。したがって、張力方向Ａに力がかかる場合でも、包装用フィルム１が裂けることがない。
【００３７】
これに対し、図１０を参照して、線状の切込み１４０は、第１の切込み１４１ａおよび第２の切込み１４１ｂを有し、互いに直交して交差する。第１の切込み１４１ａの先端部を通る延長線１８１ａは、張力に対して直交する直交線Ｂと平行である。これにより、張力方向Ａに沿って適度な張力がかかると、第１の切込み１４１ａに応力集中し、第１の切込み１４１ａの先端部からフィルム本体１０が裂ける危険性が高い。
【００３８】
このように、図９に示すように、線状の第１の切込み１４ａを通る延長線８１、第２の切込み１４ｂを通る延長線８２を、張力方向Ａに対して直交する直交線Ｂに対して傾斜して配置することで、張力方向Ａに張力がかかる場合でも、包装用フィルム１が裂けることがない。
【００３９】
以下の実施形態では、切込み１４の他の構成例について説明する。以下に切込み１４Ａとの相違点のみ詳細に説明する。
【００４０】
図１１は、切込み１４Ｂを模式的に示す図である。切込み１４Ｂは、１つの湾曲する線状の切欠きである。切込み１４Ｂの先端部を通る延長線９１は、張力に対して直交する直交線Ｂに対して傾斜している。
【００４１】
図１２は、切込み１４Ｃを模式的に示す図である。切込み１４Ｃは、１つの直線状の切欠きである。切込み１４Ｃの先端部を通る延長線１０１は、張力に対して直交する直交線Ｂに対して傾斜している。
【００４２】
なお、上記各実施の形態では、貫通穴の形状を例示したが、貫通穴は、１つ以上の突状角部を有する形状であって、突状角部の中心線が直交線Ｂに対して傾斜するものであれば、これらの形状に限られない。
【００４３】
さらに、上記各実施の形態では、切込みの形状を例示したが、切込みは、線状の切込みの先端部を通る延長線が、直交線Ｂに対して傾斜しているものであれば、これらの形状に限られない。
【００４４】
また、上記各実施形態では、貫通穴１３Ａは、フィルム本体１０の中央部近傍に２箇所設けられるが、１箇所でも３箇所以上であっても構わない。
【００４５】
以上、図面を参照してこの発明の実施の形態を説明したが、この発明は、図示した実施の形態のものに限定されない。図示した実施の形態に対して、この発明と同一の範囲内において、あるいは均等の範囲内において、種々の修正や変形を加えることが可能である。
【符号の説明】
【００４６】
１  包装用フィルム、２  容器、１０  フィルム本体、１１ａ，１１ｂ  粘着層、１２  通気孔、１３Ａ  貫通穴、１４Ａ  切込み、１４ａ，１４ｂ  延長線、２０  開口部、３１  突状角部、３２  中心線、８１，８２  延長線、Ａ  張力方向、Ｂ  直交線。
【要約】
【課題】人の手による引き裂き性に優れ、開封を容易に行うことができる包装用フィルムを提供すること。
【解決手段】長手方向両端部に粘着層（１１ａ，１１ｂ）があり、使用状態では長手方向に沿って張力がかけられた状態で、容器の開口部を覆うように貼り付けられる。少なくとも１つ以上の突状角部（３１）を有する形状の貫通穴（１３Ａ）を有し、貫通穴（１３Ａ）のすべての突状角部（３１）の中心線が、張力方向（Ａ）に対して直交する直交線（Ｂ）に対して傾斜している。
【選択図】図２【図１】
0005820916.tif 000002
【図２】
0005820916.tif 000003
【図３】
0005820916.tif 000004
【図４】
0005820916.tif 000005
【図５】
0005820916.tif 000006
【図６】
0005820916.tif 000007
【図７】
0005820916.tif 000008
【図８】
0005820916.tif 000009
【図９】
0005820916.tif 000010
【図１０】
0005820916.tif 000011
【図１１】
0005820916.tif 000012
【図１２】
0005820916.tif 000013